(57)【要約】【課題】テープ等を使用せずに、分岐線の導体露出部を簡単に絶縁処理することができると共に、構成が簡単で、金型費用が増加せず、コストの抑制を図ることのできるクリップ付きワイヤハーネス固定具を提供する。【解決手段】ワイヤハーネスＷに固定されるベース板１１の一方の板面に、パネルＰの係止孔Ｐａに差し込み係止されるクリップ１２が突設され、該クリップが、ベース板の一方の板面に立設された支柱１３と、該支柱の先端頭部１４からベース板に向けて斜めに延び、パネルの係止孔に先端頭部から差し込まれた際に係止孔の周縁に弾性係止する弾性係止羽根１５と、を備え、ベース板の他方の板面からクリップの支柱の内部に、ワイヤハーネスの幹線から分岐した分岐線Ｗｂの導体露出部Ｗｃを収容保持する収容孔２０が穿設されている。【選択図】図１
2012029406.tif 000002
【特許請求の範囲】
【請求項１】
ワイヤハーネスに固定されるベース板の一方の板面に、パネルの係止孔に差し込み係止されるクリップが突設され、該クリップが、前記ベース板の一方の板面に立設された支柱と、該支柱の先端頭部から前記ベース板に向けて斜めに延び、前記パネルの係止孔に先端頭部から差し込まれた際に前記係止孔の周縁に弾性係止する弾性係止羽根と、を備えたクリップ付きワイヤハーネス固定具において、
前記ベース板の他方の板面から前記クリップの支柱の内部に、前記ワイヤハーネスの幹線から分岐した分岐線の導体露出部を収容保持する収容孔が穿設されていることを特徴とするクリップ付きワイヤハーネス固定具。
【請求項２】
前記分岐線の導体露出部に端子が取り付けられており、前記収容孔が、前記端子を圧入可能な大きさに形成されていることを特徴とする請求項１に記載のクリップ付きワイヤハーネス固定具。
【請求項３】
前記収容孔が、先端の閉じた袋穴よりなることを特徴とする請求項１又は２に記載のクリップ付きワイヤハーネス固定具。
【発明の詳細な説明】
【技術分野】
【０００１】
本発明は、車体パネルなどに形成された係止孔に差し込むことで係止孔に固定されるクリップ付きのワイヤハーネス固定具に係り、特に、ワイヤハーネスの幹線から分岐した分岐線の導体露出部を絶縁処理する部分を一体に備えたクリップ付きワイヤハーネス固定具に関するものである。
【背景技術】
【０００２】
図４に、特許文献１に記載の従来のクリップ付きのワイヤハーネス固定具を示す。
このワイヤハーネス固定具１１０は、ワイヤハーネスＷにテープ巻き固定される帯板状のベース板１１１と、車体パネルに係止されるクリップ１１２とを備えると共に、ベース板１１１の側方に一体に筒状の絶縁キャップ１２０を備えている。
【０００３】
クリップ１１２は、ベース板１１１に立設された支柱１１３と、この支柱１１３の先端頭部１１４からベース板１１１に向けて斜めに延び、パネルの係止孔に先端頭部１１４から差し込まれた際にパネルの係止孔の周縁に弾性係止する弾性係止羽根１１５とを備えており、弾性係止羽根１１５の自由端の外面にパネルの係止孔の周縁に係合する係止段部１１６を有している。また、絶縁キャップ１２０は、ワイヤハーネスＷの幹線Ｗａから分岐した分岐線Ｗｂの端末のスプライス部（ジョイント部）１０１を挿入保持する部分であり、一端に挿入のための入口１２１を有している。
【０００４】
このワイヤハーネス固定具１１０を使用してワイヤハーネスＷを車体に配索する場合は、ワイヤハーネスＷの分岐線Ｗｂの端末に設けてあるスプライス部１０１を、ワイヤハーネス固定具１１０の絶縁キャップ１２０に挿入し、ワイヤハーネス固定具１１０のベース板１１１をワイヤハーネスＷの幹線Ｗａにテープ巻き固定する。そして、ワイヤハーネス固定具１１０のクリップ１１２を車体パネルの係止孔に差し込んで係止させることにより、ワイヤハーネスＷを車体に固定する。
【先行技術文献】
【特許文献】
【０００５】
【特許文献１】特開平９−１３７８８１号公報
【発明の概要】
【発明が解決しようとする課題】
【０００６】
上記従来のクリップ付きワイヤハーネス固定具１１０によれば、分岐線Ｗｂのスプライス部１０１を絶縁キャップ１２０の中に収容することで、簡単にスプライス部１０１を絶縁保護することができる。
【０００７】
しかしながら、従来のワイヤハーネス固定具１１０では、分岐線Ｗｂのスプライス部１０１（導体露出部）を収容する部分を、筒状の絶縁キャップ１２０という形で、ベース板１１１やクリップ１１２の外側に設けているので、ワイヤハーネス固定具１１０全体の形状が複雑になり、成形金型の費用が増し、製品コストがアップするという問題があった。
【０００８】
そこで、本発明の目的は、上記課題を解消することに係り、テープ等を使用せずに、分岐線の導体露出部を簡単に絶縁処理することができると共に、構成が簡単で、金型費用が増加せず、コストの抑制を図ることのできるクリップ付きワイヤハーネス固定具を提供することにある。
【課題を解決するための手段】
【０００９】
本発明の上記目的は、下記の構成により達成される。
（１）ワイヤハーネスに固定されるベース板の一方の板面に、パネルの係止孔に差し込み係止されるクリップが突設され、該クリップが、前記ベース板の一方の板面に立設された支柱と、該支柱の先端頭部から前記ベース板に向けて斜めに延び、前記パネルの係止孔に先端頭部から差し込まれた際に前記係止孔の周縁に弾性係止する弾性係止羽根と、を備えたクリップ付きワイヤハーネス固定具において、
前記ベース板の他方の板面から前記クリップの支柱の内部に、前記ワイヤハーネスの幹線から分岐した分岐線の導体露出部を収容保持する収容孔が穿設されていることを特徴とするクリップ付きワイヤハーネス固定具。
【００１０】
（２）前記分岐線の導体露出部に端子が取り付けられており、前記収容孔が、前記端子を圧入可能な大きさに形成されていることを特徴とする上記（１）に記載のクリップ付きワイヤハーネス固定具。
【００１１】
（３）前記収容孔が、先端の閉じた袋穴よりなることを特徴とする上記（１）又は（２）に記載のクリップ付きワイヤハーネス固定具。
【００１２】
上記（１）の構成のクリップ付きワイヤハーネス固定具によれば、ワイヤハーネスの分岐線の導体露出部（端末同士のジョイント部など）を、クリップの支柱の内部に穿設した収容孔に収容保持することができるので、テープ等を使用せずに、分岐線の導体露出部を簡単に絶縁処理することができる。
【００１３】
しかも、構成的には、クリップの支柱に、追加してベース板側から収容孔を穿設しただけであるから、従来例のように絶縁キャップ等の特別な部分をワイヤハーネス固定具に付加する場合と比べて、構成の単純化及び軽量化を図ることができて、コスト増を抑えることができる。
【００１４】
また、収容孔の入口が、ワイヤハーネスに固定されるベース板の板面に開いているので、収容孔の中に分岐線の導体露出部を挿入した上で、ベース板をワイヤハーネスに固定することにより、収容孔の入口をワイヤハーネスで覆い隠すことができ、分岐線の導体露出部の収容孔からの抜け防止を図ることができると共に、分岐線の導体露出部に対する確かな絶縁性を保持することができる。
【００１５】
また、ワイヤハーネスの延びる方向に対して収容孔が垂直な方向に存在することになるので、ワイヤハーネスの幹線から分岐線の導体露出部が垂直に突き出すような場合（例えば、一方側からと他方側から出合った分岐線の端末同士をジョイント端子で接続した場合など）に、無理に分岐線を曲げたりすることなく、スムーズに分岐線の導体露出部を収容孔に挿入することができる。
【００１６】
また、ベース板の外側に絶縁キャップを設けた従来例の場合は、ベース板をワイヤハーネスにテープ巻きするときに絶縁キャップが邪魔になるおそれがあったが、本案では、ベース板の外側に何ら邪魔になるものがないので、テープ巻き作業の容易化が図れる。
【００１７】
上記（２）の構成のクリップ付きワイヤハーネス固定具によれば、分岐線の導体露出部に端子（例えば、ジョイント端子など）が取り付けられている場合にも、端子を収容孔に圧入することで、テープ等を使用せずに、導体露出部を簡単に絶縁処理することができる。
【００１８】
上記（３）の構成のクリップ付きワイヤハーネス固定具によれば、先端の閉じた収容孔の中に分岐線の導体露出部を挿入するだけで、導体露出部を確実に絶縁することができる。
【発明の効果】
【００１９】
本発明によれば、ワイヤハーネスの分岐線の導体露出部を、クリップの支柱の内部に穿設した収容孔に収容保持することができるので、テープ等を使用せずに、分岐線の導体露出部を簡単に絶縁処理することができる。しかも、構成的には、クリップの支柱に、追加してベース板側から収容孔を穿設しただけであるから、構成の単純化を図ることができて、コスト増を抑えることができる。
【図面の簡単な説明】
【００２０】
【図１】本発明の第１実施形態のクリップ付きワイヤハーネス固定具の構成及び使用例を示す図で、（ａ）はワイヤハーネス固定具に設けた収容孔に分岐線の端末に取り付けた端子を圧入しようとしている状態を示す斜視図、（ｂ）は端子を収容孔に圧入した後、ワイヤハーネスの幹線にワイヤハーネス固定具のベース板をテープ巻きした状態を示す側面図である。
【図２】本発明の第２実施形態のクリップ付きワイヤハーネス固定具の構成図で、（ａ）は斜視図、（ｂ）は側面図である。
【図３】本発明の第２実施形態のクリップ付きワイヤハーネス固定具の構成図で、（ａ）は斜視図、（ｂ）は側面図である。
【図４】従来のクリップ付きワイヤハーネス固定具の構成を示す斜視図である。
【発明を実施するための形態】
【００２１】
以下、本発明の実施形態を図面を参照して説明する。
図１は本発明の第１実施形態のクリップ付きワイヤハーネス固定具の構成及び使用例を示す図である。
【００２２】
このワイヤハーネス固定具１０は、合成樹脂による一体成形品よりなり、ワイヤハーネスＷにテープ巻き固定される帯板状のベース板１１と、車体パネルＰの係止孔Ｐａに差し込み係止されるクリップ１２と、クリップ１２の根元部分に設けられており、クリップ１２が車体パネルＰの係止孔Ｐａに差し込み係止された際に、車体パネルＰの表側に押圧することでガタつきを無くす押圧バネ１８とを備えている。本実施形態では、クリップ１２及び押圧バネ１８は、ベース板１１の長手方向の中央に配置されている。
【００２３】
クリップ１２は、ベース板１１の一方の板面に立設された支柱１３と、この支柱１３の先端頭部１４からベース板１１に向けて斜めに延び、パネルＰの係止孔Ｐａに先端頭部１４から差し込まれた際にパネルＰの係止孔Ｐａの周縁に弾性係止する弾性係止羽根１５とを備えており、弾性係止羽根１５の自由端の外面にパネルＰの係止孔Ｐａの周縁に係合する係止段部１６を有している。
【００２４】
そして、ベース板１１の他方の板面からクリップ１２の支柱１３の内部に、ワイヤハーネスＷの幹線Ｗａから分岐した分岐線Ｗｂの端末の導体露出部Ｗｃを収容保持する収容孔２０が穿設されている。この場合、分岐線Ｗｂの導体露出部Ｗｃには端子１が取り付けられており、収容孔２０は、端子１が圧入可能な大きさに形成されている。また、収容孔２０は、先端の閉じた袋穴として形成されている。
【００２５】
このワイヤハーネス固定具１０を使用してワイヤハーネスＷを車体に配索する場合には、ワイヤハーネスＷの分岐線Ｗｂの端末に加締めてある端子１を、作業台（図示略）に支持したワイヤハーネス固定具１０の収容孔２０に圧入する。次にベース板１１の上にワイヤハーネスＷをあてがい、ワイヤハーネスＷの幹線ＷａにテープＴを巻き付けることにより、ベース板１１をワイヤハーネスＷに固定する。そして、ワイヤハーネス固定具１０のクリップ１２を車体パネルＰの係止孔Ｐａに差し込んで係止させることにより、ワイヤハーネスＷを車体に固定する。
【００２６】
このように、ワイヤハーネスＷの分岐線Ｗｂの導体露出部Ｗｃ及び端子１を、クリップ１２の支柱１３の内部に穿設した収容孔２０に収容保持することができるので、テープ等を使用せずに、分岐線Ｗｂの導体露出部Ｗｃ及び端子１を簡単に絶縁処理することができる。
【００２７】
しかも、このワイヤハーネス固定具１０では、クリップ１２の支柱１３に収容孔２０を穿設しただけであり、従来例のように絶縁キャップ等の特別な部分をワイヤハーネス固定具に付加していないので、構成の単純化及び軽量化を図ることができる。従って、金型費用を低減することができて、製品コストの低減を図ることができる。
【００２８】
また、収容孔２０の入口が、ワイヤハーネスＷに固定されるベース板１１の板面に開いているので、収容孔２０の中に分岐線Ｗｘの導体露出部Ｗｃ及び端子１を挿入した上で、ベース板１１をワイヤハーネスｗに固定することにより、収容孔２０の入口をワイヤハーネスＷで覆い隠すことができる。従って、分岐線Ｗｂの導体露出部Ｗｃ及び端子１の収容孔２０からの抜け防止を図ることができると共に、分岐線Ｗｂの導体露出部Ｗｃ及び端子１に対する確かな絶縁性を保持することができる。
【００２９】
また、ワイヤハーネスＷの延びる方向に対して収容孔２０が垂直な方向に存在することになるので、ワイヤハーネスＷの幹線Ｗａから分岐線Ｗｂの導体露出部Ｗｃが垂直に突き出すような場合（例えば、一方側からと他方側から出合った分岐線の端末同士をジョイント端子で接続した場合など）に、無理に分岐線Ｗｂを曲げたりすることなく、スムーズに分岐線Ｗｂの導体露出部Ｗｃや端子１を収容孔２０に挿入することができる。
【００３０】
また、ベース板１１の外側に絶縁キャップを設けた従来例の場合は、ベース板をワイヤハーネスにテープ巻きするときに絶縁キャップが邪魔になるおそれがあったが、本実施形態のワイヤハーネス固定具１０では、ベース板１１の外側に何ら邪魔になるものがないので、テープ巻き作業の容易化が図れる。
【００３１】
また、本実施形態では、収容孔２０のサイズを、分岐線Ｗｂの導体露出部Ｗｃに取り付けた端子１（例えば、ジョイント端子など）を圧入できる程度に設定したので、テープ等を使用せずに、導体露出部Ｗｃや端子１を簡単に絶縁処理することができる。
【００３２】
また、収容孔２０は、先端の閉じた袋穴として形成されているので、収容孔２０の中に分岐線Ｗｂの導体露出部Ｗｃ及び端子１を圧入するだけで、導体露出部Ｗｃ及び端子１を確実に絶縁保護することができる。
【００３３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３４】
例えば、上記実施形態では、ベース板１１の長手方向中央部にクリップ１２や押圧バネ１８を配置した場合を示したが、図２の第２実施形態のクリップ付きワイヤハーネス固定具１０Ｂのように、ベース板１１の長手方向一端部に片寄らせてクリップ１２や押圧バネ１８を配置してもよい。また、図３の第３実施形態のクリップ付きワイヤハーネス固定具１０Ｃのように、ベース板１１の長手方向の中央部にオフセット用の張り出し部１１ａを設け、その張り出し部にクリップ１２や押圧バネ１８を配置してもよい。
【００３５】
また、収容孔２０に収容する分岐線Ｗｂの端末の本数は、１本でもよいし、２本以上でもよい。また、収容孔２０に収容する分岐線Ｗｂの端末の導体露出部Ｗｃの形態は、絶縁被覆が剥がされたままの状態でもよいし、端末同士が結束された状態でもよいし、端末同士が熱圧着や溶接等により接合された状態でもよい。また、結束に端子を使う場合は、ジョイント端子を使用してもよいし、コネクタ端子を使用してもよい。
【００３６】
コネクタ端子を使用した上で、収容孔２０を貫通孔として形成した場合には、クリップ１２の先端頭部１４に相手側コネクタ端子を差し込むことにより、車体パネルを介して、コネクタ端子同士を接続することも可能である。
【００３７】
また、上記実施形態では、ベース板１１が、ワイヤハーネスＷにテープ巻き固定される帯板状のものである場合について説明したが、ワイヤハーネスに巻き付ける結束バンドの基部をベース板として、本発明を適用することも可能である。
【符号の説明】
【００３８】
Ｐ  パネル
Ｐａ  係止孔
Ｗ  ワイヤハーネス
Ｗａ  幹線
Ｗｂ  分岐線
Ｗｃ  導体露出部
１  端子
１０，１０Ｂ，１０Ｃ  クリップ付きワイヤハーネス固定具
１１  ベース板
１２  クリップ
１３  支柱
１４  先端頭部
１５  弾性係止羽根
２０  収容孔
【図１】
2012029406.tif 000003
【図２】
2012029406.tif 000004
【図３】
2012029406.tif 000005
【図４】
2012029406.tif 000006